(57)【要約】【課題】高さ寸法を低く抑えながら所用の商品陳列能力を維持し、且つ、冷気循環構造も簡素化したショーケースを提供するものである。【解決手段】ショーケース１の断熱壁２下方に構成された機械室１１と、機械室内の一側に設置された圧縮機１６及び凝縮器と、他側に位置して構成されて冷却器及び送風機が収納される冷却室１２と、冷却室の一側端部上方に位置して陳列室内を区画室３１と区画室３２とに区画する区画壁２８と、冷却室に連通した区画壁内ダクト３３と、区画壁の両区画室側の面に形成された冷気吐出口と、冷却室の他側端部にて区画室３２と冷却室とを連通する冷気吸込口２７と、両区画室を連通する連通部を備える。冷気吸込口より冷気を吸引し、冷却器と熱交換させた後、冷却室より区画壁内ダクトに供給する。【選択図】図２
2008005968.tif 000002
【特許請求の範囲】
【請求項１】
商品の陳列室内に冷却器と熱交換した冷気を送風機によって循環供給して成るショーケースにおいて、
前記陳列室を構成する断熱壁下方に構成された機械室と、
該機械室内における水平方向の一側に設置され、前記冷却器と共に冷却装置を構成する圧縮機及び凝縮器と、
前記機械室内における水平方向の他側に位置して構成され、前記冷却器及び送風機が収納される冷却室と、
該冷却室の一側端部上方に位置して前記陳列室内を一方の区画室と他方の区画室とに区画する区画壁と、
該区画壁内に構成され、下端が前記冷却室に連通した区画壁内ダクトと、
前記区画壁の両区画室側の面に形成され、両区画室と前記区画壁内ダクトとを連通する冷気吐出口と、
前記冷却室の他側端部に位置して前記他方の区画室と前記冷却室とを連通する冷気吸込口と、
前記区画壁内ダクト外において前記両区画室を連通する連通部とを備え、
前記送風機は、前記冷気吸込口より冷気を吸引し、前記冷却器と熱交換させた後、前記冷却室の一側端部より前記区画壁内ダクトに供給することを特徴とするショーケース。
【請求項２】
前記一方の区画室内を加熱する加熱装置と、前記一方の区画室側の面の前記冷気吐出口及び前記連通部を開閉自在に閉塞するダンパーとを備えたことを特徴とする請求項１に記載のショーケース。
【請求項３】
前記ダンパーは、スライドにより前記冷気吐出口及び前記連通部を同時に開閉することを特徴とする請求項２に記載のショーケース。
【請求項４】
前記他方の区画室内を加熱する加熱装置を設けたことを特徴とする請求項２又は請求項３に記載のショーケース。
【発明の詳細な説明】
【技術分野】
【０００１】
本発明は、冷却器と熱交換した冷気を陳列室内に循環して成るショーケースに関するものである。
【背景技術】
【０００２】
従来よりこの種ショーケースは、コンビニエンスストアやスーパーマーケット等の店舗に設置され、ペットボトル入り飲料等の商品の陳列販売に供されている。係るショーケースでは冷却装置の冷却器と熱交換した冷気を送風機にて陳列室内に循環し、商品を冷却しながら陳列していた。また、例えば特許文献１に示されたショーケースではヒータを備え、ダンパーの開閉操作によって冷却を停止した状態でヒータを発熱させ、商品を加温しながら販売することもできるように構成されていた。
【特許文献１】特開２００６−７５２２９号公報
【発明の開示】
【発明が解決しようとする課題】
【０００３】
ところで、ショーケースがレジカウンター近傍に設置される場合、前記特許文献１のように高さ寸法が大きいものではカウンター上等に設置することが困難となる。しかしながら、単純に陳列室の上下寸法を削減してショーケースの高さ寸法を縮小した場合には今度は陳列室の商品収容・陳列能力が確保できなくなる問題が生ずる。
【０００４】
本発明は、係る従来の技術的課題を解決するために成されたものであり、高さ寸法を低く抑えながら所用の商品陳列能力を維持し、且つ、冷気循環構造も簡素化したショーケースを提供するものである。
【課題を解決するための手段】
【０００５】
本発明のショーケースは、商品の陳列室内に冷却器と熱交換した冷気を送風機によって循環供給して成るものであって、陳列室を構成する断熱壁下方に構成された機械室と、この機械室内における水平方向の一側に設置され、冷却器と共に冷却装置を構成する圧縮機及び凝縮器と、機械室内における水平方向の他側に位置して構成され、冷却器及び送風機が収納される冷却室と、この冷却室の一側端部上方に位置して陳列室内を一方の区画室と他方の区画室とに区画する区画壁と、この区画壁内に構成され、下端が冷却室に連通した区画壁内ダクトと、区画壁の両区画室側の面に形成され、両区画室と区画壁内ダクトとを連通する冷気吐出口と、冷却室の他側端部に位置して他方の区画室と冷却室とを連通する冷気吸込口と、区画壁内ダクト外において両区画室を連通する連通部とを備えており、送風機は、冷気吸込口より冷気を吸引し、冷却器と熱交換させた後、冷却室の一側端部より区画壁内ダクトに供給することを特徴とする。
【０００６】
請求項２の発明のショーケースは、上記において一方の区画室内を加熱する加熱装置と、一方の区画室側の面の冷気吐出口及び連通部を開閉自在に閉塞するダンパーとを備えたことを特徴とする。
【０００７】
請求項３の発明のショーケースは、上記においてダンパーは、スライドにより冷気吐出口及び連通部を同時に開閉することを特徴とする。
【０００８】
請求項４の発明のショーケースは、請求項２又は請求項３の発明において他方の区画室内を加熱する加熱装置を設けたことを特徴とする。
【発明の効果】
【０００９】
本発明によれば、商品の陳列室内に冷却器と熱交換した冷気を送風機によって循環供給して成るショーケースにおいて、陳列室を構成する断熱壁下方に構成された機械室と、この機械室内における水平方向の一側に設置され、冷却器と共に冷却装置を構成する圧縮機及び凝縮器と、機械室内における水平方向の他側に位置して構成され、冷却器及び送風機が収納される冷却室と、この冷却室の一側端部上方に位置して陳列室内を一方の区画室と他方の区画室とに区画する区画壁と、この区画壁内に構成され、下端が冷却室に連通した区画壁内ダクトと、区画壁の両区画室側の面に形成され、両区画室と区画壁内ダクトとを連通する冷気吐出口と、冷却室の他側端部に位置して他方の区画室と冷却室とを連通する冷気吸込口と、区画壁内ダクト外において両区画室を連通する連通部とを備えており、送風機は、冷気吸込口より冷気を吸引し、冷却器と熱交換させた後、冷却室の一側端部より区画壁内ダクトに供給するようにしたので、係る圧縮機及び凝縮器と冷却室の水平方向配置によって機械室の上下寸法を縮小し、以て陳列室内容積を縮小すること無く、ショーケース全体の高さ寸法を縮小することが可能となる。これにより、高さ寸法に伴う設置場所の制約を解消することができるようになる。
【００１０】
この場合、冷却器と熱交換した冷気は送風機により冷却室の一側端部より区画壁内ダクト内に入り、区画壁の冷気吐出口より両区画室に供給される。そして、他方の区画室内を循環した冷気は冷気吸込口から冷却室に帰還し、一方の区画室内を循環した冷気は区画壁内ダクト外に構成された連通部を経て他方の区画室に入り、同様に冷気吸込口から冷却室に帰還するようになるので、係る簡単な構成によって陳列室内全体に冷気を循環させ、良好に冷却することができるようになるものである。
【００１１】
また、請求項２の発明によれば、上記に加えて一方の区画室内を加熱する加熱装置と、一方の区画室側の面の冷気吐出口及び連通部を開閉自在に閉塞するダンパーとを備えているので、冷却装置を運転した状態でダンパーにより一方の区画室側の冷気吐出口及び連通部を閉じ、加熱装置を発熱させれば、他方の区画室を冷却状態で使用しながら、一方の区画室内を加温状態で使用することができるようになる。これにより、他方の区画室では冷却商品を陳列し、一方の区画室では加温商品を陳列するという販売形態を採ることができるようになる。
【００１２】
更に、請求項３の発明によれば、上記に加えてダンパーは、スライドにより冷気吐出口及び連通部を同時に開閉するようにしたので、ダンパーによる一方の区画室の使用状態切換作業が著しく改善されるものである。
【００１３】
更にまた、請求項４の発明によれば、請求項２又は請求項３の発明に加えて他方の区画室内を加熱する加熱装置を設けたので、冷却装置を停止した状態で両区画室の加熱装置を発熱させることにより、両区画室で加温商品の陳列販売を行うことができるようになり、利便性が一層向上するものである。
【発明を実施するための最良の形態】
【００１４】
以下、図面に基づき本発明の実施形態を詳述する。図１は本発明を適用した実施例のショーケース１の正面図、図２は図１のショーケース１の縦断正面図、図３乃至図５は図１のショーケース１のそれぞれ異なる部分の縦断側面図、図６は図１のショーケース１の平断面図を示している。ショーケース１は横長の断熱壁２と、この断熱壁２上の左右及び後側に立設されたペアガラス製の透明壁３、４、６と、この透明壁３、４、６上に取り付けられた天板７とを備えており、これら断熱壁２、透明壁３、４、６及び天板７で囲繞された断熱壁２上の空間が前方に開口した陳列室８とされている。
【００１５】
この陳列室８の前面開口は、これもペアガラスから成る観音開き式の扉９、９にて開閉自在に閉塞されている。断熱壁２の上面は前側が低い傾斜面とされており、下面は後側が高い階段形状とされている。そして、この断熱壁２の下方に機械室１１が構成されている。向かって右側（水平方向の一側）が高く、向かって左側（水平方向の他側）は連続して機械室１１側に凹陥しており、この凹陥部分の内部に冷却室１２が構成されている。
【００１６】
そして、機械室１１内における向かって右側（水平方向の一側）の前側に冷却装置を構成する凝縮器１３、その後ろに凝縮器用の送風機１４、更にその後ろに冷却装置を構成する圧縮機１６が設置されており、機械室１１内における向かって左側（水平方向の他側）に位置して構成された前記冷却室１２内には、冷却装置を構成する冷却器１７と冷気循環用の送風機１８が収納設置されている。
【００１７】
断熱壁２上の陳列室８内には向かって右側と左側に商品Ｇを陳列するための棚２１、２２がそれぞれ設けられており、断熱壁２の上面傾斜に沿って前側が低くなるよう架設されている。そして、各棚２１、２２の裏面には加熱装置としての電気ヒータ２３、２４が取り付けられている。また、向かって左側の棚２２は冷却室１２の上面を閉塞すると共に、その向かって右側、即ち、冷却室１２の一側端部に位置して当該冷却室１２と連通する吹出口２６が構成され、向かって左側、即ち、冷却室１２の他側端部に位置して当該冷却室１２と連通する冷気吸込口２７がそれぞれ構成されている。また、冷却室１２の一側端部に位置する吹出口２６は陳列室８の左右方向の略中央に位置しており、その上方には区画壁２８が設けられている。
【００１８】
この区画壁２８は陳列室８内を向かって右側と左側とに区画し、陳列室８内の向かって右側に一方の区画室３１、左側に他方の区画室３２をそれぞれ構成する。そして、各棚２１、２２はこれら区画室３１、３２の底面をそれぞれ構成する。また、冷気吸込口２７は区画室３２の他側端部に位置する。更に、前記扉９、９は各区画室３１、３２の前面開口をそれぞれ独立して開閉することになる。
【００１９】
区画壁２８内は中空とされ、内部に区画壁内ダクト３３が構成されており、この区画壁内ダクト３３の下端は冷却室１２の吹出口２６に連通してシールされている（図２では浮いているが実際には吹出口２６と区画壁２８は密着している）。区画壁２８の区画室３１側の面には上下方向に並んだ複数の冷気吐出口３６が前後に２列形成されており、各冷気吐出口３６は区画壁内ダクト３３と区画室３１とを連通する。また、区画壁２８の区画室３２側の面上部には水平方向に並んだ複数の冷気吐出口３７が形成されており、各冷気吐出口３７は区画壁内ダクト３３と区画室３２とを連通する。
【００２０】
この場合、冷気吐出口３６の数（総開口面積）は冷気吐出口３７の数（総開口面積）より多い（実施例では略２倍）。これは冷気吸込口２７が区画室３２側に位置している関係から区画壁内ダクト３３を経て区画室３２側に吐出される冷気量がどうしても区画室３１側に吐出される冷気量よりも多くなってしまうためである。実施例では冷気吐出口３６の総開口面積を冷気吐出口３７よりも大きくすることによって各室３１、３２への冷気吐出量を均等にしている。
【００２１】
尚、区画壁２８の区画室３１側の内面には図示しない断熱材が貼付されている。また、区画壁２８の区画壁３１側の外面前後にはダンパー３８、３９が取り付けられている（図４、図５では削除）。このダンパー３８の略中央部には上下に長い透孔４１が形成され、前端にはシール材４２が取り付けられている。また、ダンパー３９の略中央部にも上下に長い透孔４３が形成され、後端にはシール材４４が取り付けられている。そして、各ダンパー３８、３９は区画壁３１に対して前後方向にスライド自在に支持されている。
【００２２】
ここで、区画壁２８は陳列室８内を略左右に区画しているものの、その前後は前端中央の支柱４６及び透明壁６より離間しており、そこに前後の連通部４７、４８（区画壁内ダクト３３外にある）が構成され、これら連通部４７、４８にて両区画室３１、３２は連通している。図３（図６）の如く前側のダンパー３８が後側に位置している状態では、透孔４１が前列の冷気吐出口３６に合致し、当該冷気吐出口３６を開放する。また、シール材４２は支柱４６から離間し、前側の連通部４７を開放する。同じく後側のダンパー３９が前側に位置している状態では、透孔４３が後列の冷気吐出口３６に合致し、当該冷気吐出口３６を開放する。また、シール材４４は透明壁６から離間し、後側の連通部４８を開放する。
【００２３】
一方、図７（図８）の如く前側のダンパー３８が前側に位置している状態では、透孔４１は前列の冷気吐出口３６からずれてダンパー３８が当該冷気吐出口３６を閉塞する。また、シール材４２は同時に支柱４６に当接し、前側の連通部４７を閉塞する。同じく後側のダンパー３９が後側に位置している状態では、透孔４３が後列の冷気吐出口３６からずれてダンパー３９が当該冷気吐出口３６を閉塞する。また、シール材４４は同時に透明壁６に当接し、後側の連通部４８を閉塞する。
【００２４】
尚、５１はダンパー３８の移動範囲を避けた位置の連通部４７上部に取り付けられた蛍光灯（照明装置）であり、両区画室３１、３２に渡って陳列室８内を照明する。
【００２５】
以上の構成で、次に動作を説明する。
（１）冷／冷使用モード
先ず、両区画室３１、３２（全陳列室８）内を冷却使用する場合について説明する。この場合は、図３及び図６の如くダンパー３８を後側に移動し、ダンパー３９を前側に移動させる。この操作により、前列の冷気吐出口３６及び連通部４７が同時に開放され、後列の冷気吐出口３６及び連通部４８も同時に開放される。
【００２６】
また、冷却装置の圧縮機１６と送風機１４、１８が運転される。この圧縮機１６で圧縮され、吐出された冷媒は凝縮器１３で凝縮された後、図示しない減圧装置（膨張弁等）で減圧され、冷却器１７に流入して蒸発する。これにより、冷却器１７は冷却作用を発揮する。この冷却器１７により冷却された冷気は送風機１８によって吹出口２６に吹き出され、区画壁内ダクト３３に流入する。そして、区画壁２８の冷気吐出口３６、３７より両区画室３１、３２内に吐出される。ここで、冷気吸込口２７が区画室３２側のみに設けられているため、冷気吐出口３６と冷気吐出口３７の総開口面積が同一の場合、区画室３２側の冷気吐出量が多くなってしまう。そこで、区画室３１と区画室３２に冷気を略均一に供給するため、冷気吐出口３７の総開口面積と冷気吐出口３６の総開口面積のバランスを考慮し、冷気吐出口３６の総開口面積を冷気吐出口３７より大きくしている。前述した略２倍の比率は係るバランスを考慮して設定されたものである。これにより、冷気は各区画室３１、３２内に略均等に供給される。
【００２７】
そして、区画室３２内を循環した冷気はそのまま冷気吸込口２７から冷却室１２に帰還し、送風機１８に吸い込まれる。また、区画室３１内を循環した冷気は前後の連通部４７、４８を経て区画室３２に入り、この区画室３２内を経て同様に冷気吸込口２７から冷却室１２に帰還する。圧縮機１６及び送風機１４、１８の運転は区画室３２内の温度に基づいて制御される。これにより、係る簡単な風路構成によって陳列室８内全体に冷気を循環させ、両棚２１、２２上の商品Ｇを所定の温度に冷却することができるようになり、夏季などの冷却商品が多く消費される季節に好適である。
【００２８】
（２）冷／温使用モード
次に、区画室３１を加温使用し、区画室３２は冷却使用する場合について説明する。この場合は、図７及び図８の如くダンパー３８を前側に移動し、ダンパー３９を後側に移動させる。この操作により、前列の冷気吐出口３６及び連通部４７が同時に閉塞され、後列の冷気吐出口３６及び連通部４８も同時に閉塞される。
【００２９】
また、冷却装置の圧縮機１６と送風機１４、１８は引き続き運転されるが、この場合は冷気吐出口３６が閉塞されている関係上、冷却器１７により冷却された冷気が送風機１８によって吹出口２６に吹き出され、区画壁内ダクト３３に流入した後、区画壁２８の冷気吐出口３７より区画室３２内のみに吐出されることになる。
【００３０】
そして、区画室３２内を循環した冷気は前述同様にそのまま冷気吸込口２７から冷却室１２に帰還し、送風機１８に吸い込まれる。一方、棚２１の電気ヒータ２３は通電されて発熱し、棚２１上の商品Ｇを加温する。これにより、区画室３２を冷却使用しながら、区画室３１内を加温使用することができるようになり、冷却商品と加温商品の両方が消費される季節には、区画室３２では冷却商品を陳列し、区画室３１では加温商品を陳列するという販売形態を採ることができるようになる。
【００３１】
以上において各ダンパー３８、３９は、スライドにより冷気吐出口３６及び連通部４７、４８を同時に開閉するので、ダンパー３８、３９による区画室３１の使用状態切換作業も著しく容易となる。
【００３２】
（３）温／温使用モード
次に、両区画室３１、３２を加温使用する場合について説明する。また、冷却装置の圧縮機１６と送風機１４、１８は停止される。一方、棚２１及び棚２２の電気ヒータ２３及び電気ヒータ２４は通電されて発熱し、棚２１及び棚２２上の商品Ｇを加温する（図９）。これにより、両区画室３１及び３２を加温使用することができるようになり、冬季など加温商品が多く消費される季節には極めて利便性が向上する。この場合は、ダンパー３８、３９はどの位置にあっても差し支えない。
【００３３】
そして、本発明では前述した如く圧縮機１６及び凝縮器１３と冷却室１２が水平方向に並んで配置されている関係上、機械室１１の上下寸法が縮小され、陳列室８内容積を縮小すること無く、ショーケース１全体の高さ寸法を縮小することが可能となる。これにより、高さ寸法に伴う設置場所の制約を解消することができるようになる。
【００３４】
尚、実施例では冷／温切換使用可能なショーケースに本発明を適用したが、請求項１の発明では陳列室８内全域を冷却使用するのみのショーケースでも有効である。また、実施例では連通部４７、４８を区画壁２８の前後に構成し、２枚のダンパー３８、３９で開閉するようにしたが、例えば後側のみに連通部を構成して１枚のダンパーにて当該連通部と冷気吐出口３６を同時に開閉するようにしてもよい。また、実施例では区画壁２８の外側に連通部４７、４８を構成したが、区画壁内ダクト３３と隔てたかたちで連通部を区画壁２８内に構成してもよい。
【００３５】
更に、実施例では前面の扉９を備えたショーケースに本発明を適用したが、例えば、前後左右の周囲が透明壁で囲繞され、上面が開放された所謂平型のオープンショーケースにも本発明は有効である。
【図面の簡単な説明】
【００３６】
【図１】本発明を適用した実施例のショーケースの正面図である。
【図２】図１のショーケースの縦断正面図である。
【図３】区画壁の向かって右側で切断した図１のショーケースの縦断側面図である（冷／冷使用モード）。
【図４】同じく区画壁の向かって右側で切断した図１のショーケースのもう一つの縦断側面図である。
【図５】区画壁の中央で切断した図１のショーケースの縦断側面図である。
【図６】図１のショーケースの平断面図である（冷／冷使用モード）。
【図７】区画壁の向かって右側で切断した図１のショーケースの更にもう一つの縦断側面図である（冷／温使用モード）。
【図８】図１のショーケースのもう一つの平断面図である（冷／温使用モード）。
【図９】図１のショーケースの更にもう一つの平断面図である（温／温使用モード）。
【符号の説明】
【００３７】
１  ショーケース
２  断熱壁
８  陳列室
１１  機械室
１２  冷却室
１３  凝縮器
１６  圧縮機
１７  冷却器
１８  送風機
２１、２２  棚
２３、２４  電気ヒータ（加熱装置）
２７  冷気吸込口
２８  区画壁
３１、３２  区画室
３３  区画壁内ダクト
３６  冷気吐出口
３８、３９  ダンパー
４７、４８  連通部
【図１】
2008005968.tif 000003
【図２】
2008005968.tif 000004
【図３】
2008005968.tif 000005
【図４】
2008005968.tif 000006
【図５】
2008005968.tif 000007
【図６】
2008005968.tif 000008
【図７】
2008005968.tif 000009
【図８】
2008005968.tif 000010
【図９】
2008005968.tif 000011